(57)【要約】【課題】  電飾装置の発光態様により、遊技を盛り上げて、遊技者を一層楽しませることができる、新規な構造の遊技機を提供することを、目的とする。【解決手段】  電飾装置として特定の方向に光を発する指向性電飾装置７８を採用し、かかる指向性電飾装置７８が発する光によって照らされる被照射対象７６が遊技機１０に備えられている一方、指向性電飾装置７８を駆動するための駆動手段１２４が備えられており、かかる駆動手段１２４によって指向性電飾装置７８が被照射対象７６を照らす位置から少なくとも被照射対象７６を照らさない位置まで駆動せしめられるようにした。【選択図】      図１１
2005237848.tif 000002
【特許請求の範囲】
【請求項１】
遊技状況に応じて発光する電飾装置を備えた遊技機において、
前記電飾装置が特定の方向に光を発する指向性電飾装置とされていると共に、該指向性電飾装置が発する光によって照らされる被照射対象が前記遊技機に備えられている一方、該指向性電飾装置を駆動するための駆動手段が備えられており、該駆動手段によって該指向性電飾装置が該被照射対象を照らす位置から少なくとも該被照射対象を照らさない位置まで駆動せしめられることを特徴とする遊技機。
【請求項２】
前記駆動手段によって前記指向性電飾装置が前記遊技機で遊技をする遊技者を照らす位置まで駆動せしめられるようになっている請求項１に記載の遊技機。
【請求項３】
前記指向性電飾装置が前記駆動手段によって駆動せしめられることにより、前記遊技機が遊技ホールの台島に取り付けられた状態で、該台島において該遊技機の隣に設置された遊技機で遊技をする遊技者が、該指向性電飾装置の発する光によって照らされる請求項１に記載の遊技機。
【請求項４】
前記指向性電飾装置の発する光の色が複数種類の色に変更可能とされている請求項１乃至３の何れかに記載の遊技機。
【請求項５】
前記指向性電飾装置が発光源を備えた状態で前記駆動手段によって一軸回りに回動せしめられるようになっていると共に、該指向性電飾装置の回動中心軸の付近に該発光源への電源を供給する電源供給線の接続端子が設けられている請求項１乃至４の何れかに記載の遊技機。
【請求項６】
前記指向性電飾装置が複数用いられており、それら複数の指向性電飾装置によって、前記被照射対象が複数の方向から照らされるようになっている請求項１乃至５の何れかに記載の遊技機。
【請求項７】
前記指向性電飾装置が二つ用いられており、それら二つの指向性電飾装置が前記遊技機を正面から見た際に前記被照射対象を左右両側から挟むようにして配設されている請求項６に記載の遊技機。
【請求項８】
前記遊技機を正面から見た際に、前記被照射対象の裏側に前記駆動手段が配設されており、該駆動手段によって、前記二つの指向性電飾装置がそれぞれ駆動せしめられる請求項７に記載の遊技機。
【請求項９】
前記遊技状況が予め定められた特定遊技状況となった場合に前記指向性電飾装置が発光せしめられる請求項１乃至８の何れかに記載の遊技機。
【発明の詳細な説明】
【技術分野】
【０００１】
本発明は、遊技状況に応じて発光する電飾装置を備えた遊技機に係り、特に、かかる電飾装置の発光態様によって、遊技を盛り上げて、遊技者を一層楽しませることができる、新規な構造の遊技機に関するものである。
【背景技術】
【０００２】
従来から、パチンコ機等の遊技機には、ＬＥＤ等を発光源とする様々な種類の電飾装置が備えられており、これらの電飾装置は、例えば、特定の遊技状況となった場合に、その発光源が点灯乃至は点滅等することにより、遊技を盛り上げ、遊技者を楽しませるようになっている。
【０００３】
ところが、従来の電飾装置の殆どは、その発光源が点灯，点滅若しくは消灯するのみであり、その結果、かかる電飾装置を用いた演出に斬新さがなく、遊技を盛り上げて、遊技者を楽しませることが難しいという問題があった。
【０００４】
なお、特許文献１には、一軸回りに回動可能に配設された円板形状のプレートの上面にＬＥＤを備えると共に、該プレートの軸方向に対して傾斜せしめられた傾斜反射板をプレートの上面に取り付け、更に、傾斜反射板の周縁とプレートの外周縁部とで形成される開口部を覆うようにしてレンズ体を取り付けた電飾装置をモータによって駆動せしめ、それによって、ＬＥＤから発せられた後、傾斜反射板の下面で反射し、そして、レンズ体を通って外部にでる光の進む方向を変化させる遊技機が開示されている。
【０００５】
しかしながら、特許文献１に記載の遊技機のように、単に、光の進む方向を変化させるだけでは、遊技を盛り上げるという点において十分でなく、更なる工夫が必要なのである。
【０００６】
【特許文献１】特開２００２−３４６０６４号公報
【発明の開示】
【発明が解決しようとする課題】
【０００７】
ここにおいて、本発明は、上述の如き事情を背景として為されたものであり、その解決課題とするところは、電飾装置の発光態様により、遊技を盛り上げて、遊技者を一層楽しませることができる、新規な構造の遊技機を提供することにある。
【課題を解決するための手段】
【０００８】
以下、このような課題を解決するために為された本発明の態様を記載する。なお、以下に記載の各態様において採用される構成要素は、可能な限り任意の組み合わせで採用することが可能である。また、本発明の態様乃至は技術的特徴は、以下に記載のものに限定されることなく、明細書全体に記載されたもの、或いはそれらの記載から当業者が把握することができる発明思想に基づいて認識されるものであることが理解されるべきである。
【０００９】
本発明の第一の態様は、遊技状況に応じて発光する電飾装置を備えた遊技機において、前記電飾装置が特定の方向に光を発する指向性電飾装置とされていると共に、該指向性電飾装置が発する光によって照らされる被照射対象が前記遊技機に備えられている一方、該指向性電飾装置を駆動するための駆動手段が備えられており、該駆動手段によって該指向性電飾装置が該被照射対象を照らす位置から少なくとも該被照射対象を照らさない位置まで駆動せしめられることを、特徴とする。
【００１０】
このような本態様に従う構造とされた遊技機においては、電飾装置として特定の方向に光を発する指向性電飾装置が採用されており、しかも、かかる指向性電飾装置が発する光によって照らされる被照射対象が遊技機に備えられていることから、被照射対象自体を駆動するための駆動機構を設け、かかる駆動機構によって被照射対象を駆動しなくても、単に、指向性電飾装置の発する光によって被照射対象を照らすだけで、被照射対象の外観から受ける印象を変化させることが可能となる。そして、指向性電飾装置の発する光によって照らされることで指向性電飾装置の発する光の色を帯びた被照射対象、或いは、被照射対象を照らしている指向性電飾装置が発する光の色そのものを利用して、被照射対象自体の状態、或いは、被照射対象の周囲の状況（被照射対象が存在する環境）を多様に変化させることが可能となり、それによって、遊技者に対して「光」や「色」という無形の感覚的および抽象的な刺激を一層多様に与えて、様々な感覚や感情を遊技者に連想させることが可能となる。
【００１１】
従って、本態様に係る遊技機においては、遊技者が連想するイメージを巧く利用することによって、遊技を盛り上げ、遊技者を一層楽しませることが可能となる。
【００１２】
また、本態様においては、指向性電飾装置が駆動手段によって被照射対象を照らす位置から少なくとも被照射対象を照らさない位置まで駆動せしめられるようになっていることから、被照射対象が指向性電飾装置によって照らされている場合と指向性電飾装置によって照らされていない場合とで異なる外見を呈している印象を遊技者に与えることが可能となり、それによって、遊技者をより一層楽しませることが可能となる。
【００１３】
なお、本態様における被照射対象とは、例えば、キャラクタ人形等が考えられる。また、本態様の被照射対象は、立体的形状を有するものに限定されず、平面的な形状（例えば、風景画のようなもの）であっても良い。更に、本態様の被照射対象は、それ自体が動くものであっても良い。
【００１４】
本発明の第二の態様は、前記第一の態様に係る遊技機において、前記駆動手段によって前記指向性電飾装置が前記遊技機で遊技をする遊技者を照らす位置まで駆動せしめられるようになっていることを、特徴とする。このような本態様に従う構造とされた遊技機においては、指向性電飾装置が駆動手段によって遊技機で遊技をする遊技者を照らす位置まで駆動せしめられ、それによって、遊技者が指向性電飾装置の発する光によって照らされるようになっていることから、遊技者の興味を指向性電飾装置の動きおよび遊技者に向かって発せられる光に対して惹きつけることが可能となる。
【００１５】
また、本態様においては、遊技者が指向性電飾装置の発する光によって照らされた場合に遊技者の気持ちを高揚させることが可能となり、それによって、遊技者が遊技をすることによって味わう興奮を高めることが可能となり、その結果、遊技を盛り上げて、遊技者を一層楽しませることが可能となる。
【００１６】
本発明の第三の態様は、前記第一又は第二の態様に係る遊技機において、前記指向性電飾装置が前記駆動手段によって駆動せしめられることにより、前記遊技機が遊技ホールの台島に取り付けられた状態で、該台島において該遊技機の隣に取り付けられた遊技機で遊技をする遊技者が、該指向性電飾装置が発する光によって照らされることを、特徴とする。このような本態様に従う構造とされた遊技機においては、遊技機が遊技ホールの台島に取り付けられた状態で、かかる台島において隣に取り付けられた遊技機で遊技をする遊技者が指向性電飾装置の発する光によって照らされるようになっていることから、例えば、特定の遊技状況になった場合に、指向性電飾装置が隣の遊技機で遊技をする遊技者を照らす位置まで駆動せしめられて、かかる位置において光を発するようにすることで、隣の遊技機で遊技をする遊技者にまで、現在の遊技状況、即ち、特定の遊技状況になっていることを認識させることが可能となる。それ故、本態様の遊技機においては、遊技者は、周囲にいる他の遊技者たちと一体となって遊技を楽しむことが可能となる。
【００１７】
本発明の第四の態様は、前記第一乃至第三の何れかの態様に係る遊技機において、前記指向性電飾装置の発する光の色が複数種類の色に変更可能とされていることを、特徴とする。このような本態様に従う構造とされた遊技機においては、指向性電飾装置の発する光によって照らされることで指向性電飾装置の発する光の色を帯びた被照射対象、或いは、被照射対象を照らしている指向性電飾装置が発する光の色そのものを利用して遊技者に連想させる、被照射対象自体の状態、或いは、被照射対象の周囲の状況（被照射対象が存在する環境）のバリエーションを増やすことが容易に可能となり、それによって、遊技者をより一層楽しませることが可能となる。
【００１８】
本発明の第五の態様は、前記第一乃至第四の何れかの態様に係る遊技機において、前記指向性電飾装置が発光源を備えた状態で前記駆動手段によって一軸回りに回動せしめられるようになっていると共に、該指向性電飾装置の回動中心軸の付近に該発光源への電源を供給する電源供給線の接続端子が設けられていることを、特徴とする。このような本態様に従う構造とされた遊技機においては、駆動手段によって一軸回りに回動せしめられる指向性電飾装置がそれ自体発光源を備えており、しかも、かかる発光源への電源を供給する電源供給線の接続端子が指向性電飾装置の回動中心軸の付近に位置せしめられていることから、指向性電飾装置が一軸回りに回動せしめられることに伴う電源供給線の移動距離を短くすることが可能となり、それによって、指向性電飾装置が一軸回りに回動せしめられることに伴って生ぜしめられる電源供給線の移動に起因して電源供給線に及ぼされる負荷を軽減乃至は回避することが可能となり、その結果、特に、指向性電飾装置による発光を長期間に亘って安定して行うことが可能となる。
【００１９】
本発明の第六の態様は、前記第一乃至第五の何れかの態様に係る遊技機において、前記指向性電飾装置が複数用いられており、それら複数の指向性電飾装置によって、前記被照射対象が複数の方向から照らされるようになっていることを、特徴とする。このような本態様に従う構造とされた遊技機においては、被照射対象が複数の指向性電飾装置によって複数の方向から照らされるようになっていることから、ある一つの方向から一つの指向性電飾装置によって被照射対象が照らされる場合に比して、被照射対象を遊技者が視認可能な部分の略全体に亘って満遍なく照らすことが可能となる。即ち、一つの指向性電飾装置を用いる場合、被照射対象に陰影をつけるという目的があるときは別として、被照射対象を遊技者が視認可能な部分の略全体に亘って満遍なく照らそうとすると、遊技者が通常の遊技状態下で被照射対象を正面から観る方向と略同じ方向から被照射対象を照らす必要があるわけであるが、そうすると、指向性電飾装置が邪魔になって被照射対象が観難くなってしまったり、被照射対象が非常に奥まった位置にあるような印象を与えてしまったり、更には、被照射対象と指向性電飾装置との距離を適当な大きさに保った状態でそれら被照射対象と指向性電飾装置を配設することが困難になってしまう等の不具合が生じるおそれがある。しかしながら、本態様においては、複数の指向性電飾装置によって複数の方向から被照射対象が照らされるようになっていることから、このような不具合の発生を防ぐことが可能となる。
【００２０】
本発明の第七の態様は、前記第六の態様に係る遊技機において、前記指向性電飾装置が二つ用いられており、それら二つの指向性電飾装置が前記遊技機を正面から見た際に前記被照射対象を左右両側から挟むようにして配設されていることを、特徴とする。このような本態様に従う構造とされた遊技機においては、遊技機を正面から見た際に、二つの指向性電飾装置が被照射対象を左右両側から挟むようにして配設されていることから、採用する指向性電飾装置の数を最小限に抑えつつ、被照射対象を遊技者が視認可能な部分の略全体に亘って満遍なく照らすことが可能となる。
【００２１】
本発明の第八の態様は、前記第七の態様に係る遊技機において、前記遊技機を正面から見た際に、前記被照射対象の裏側に前記駆動手段が配設されており、該駆動手段によって、前記二つの指向性電飾装置がそれぞれ駆動せしめられることを、特徴とする。このような本態様に従う構造された遊技機においては、遊技機を正面から見た際に被照射対象の裏側に配設された駆動手段によって二つの指向性電飾装置がそれぞれ駆動せしめられるようになっていることから、各指向性電飾装置を駆動するための駆動手段をそれぞれ採用する場合に比して、目的とする指向性電飾装置の駆動を少ない部品点数で実現することが可能となり、それによって、目的とする指向性電飾装置の駆動を実現するための機構を配設するためのスペースを有利に確保することが可能となる。
【００２２】
本発明の第九の態様は、前記第一乃至第八の何れかの態様に係る遊技機において、前記遊技状況が予め定められた特定遊技状況となった場合に前記指向性電飾装置が発光せしめられることを、特徴とする。このような本態様に従う構造とされた遊技機においては、特定遊技状況となった場合に指向性電飾装置が発光せしめられるようになっていることから、指向性電飾装置の駆動や指向性電飾装置が発する光によって照らされる被照射対象に対する遊技者の興味を一層惹きつけることが可能となり、それによって、遊技者をより一層楽しませることが可能となる。
【００２３】
なお、本態様における特定遊技状況とは、例えば、所謂第１種パチンコ機において、液晶表示器の表示画面で変動表示および停止表示される複数の変動図柄が特定の停止表示態様で停止する可能性が高いリーチ状態となったような場合や、大当たり遊技状態となった場合等をいう。
【発明の効果】
【００２４】
上述の説明から明らかなように、本発明に従う構造とされた遊技機においては、指向性電飾装置の発する光によって照らされて、かかる光の色を帯びた被照射対象や、被照射対象を照らしている指向性電飾装置の発する光の色そのものから、被照射対象の状態や被照射対象が存在する環境を遊技者に連想させることにより、遊技者を遊技に積極的に関わらせて、遊技を盛り上げ、遊技者を一層楽しませることが可能になると共に、指向性電飾装置が少なくとも被照射対象を照らさない位置まで駆動せしめられることで、被照射対象の外見の印象を更に変化せしめることが可能となり、それによって、遊技者を一層楽しませることが可能となる。
【発明を実施するための最良の形態】
【００２５】
以下、本発明を更に具体的に明らかにするために、本発明の実施形態について、図面を参照しつつ、詳細に説明する。
【００２６】
図１には、本発明の一実施形態の遊技機としてのパチンコ機１０が示されている。このパチンコ機１０は、縦長な方形状に枠組み形成された外枠１２を備えている。外枠１２には、その一側において開閉自在に軸支された状態で、パチンコ機の主要構成部の略全てが集約して設けられる中枠１４が組み付けられている。また、中枠１４の表側には、中枠１４に対して裏側から取り付けられた遊技盤１６を透視保護するためのガラス枠１８と、上皿２０を備えた皿板２２がそれぞれ中枠１４の一側に開閉自在に軸支された状態で組み付けられている。更にまた、上皿２０の下方には、下皿２４が設けられており、かかる下皿２４の右方には、発射ハンドル２６が突設されている。そして、遊技者が発射ハンドル２６に対して回動可能に装着された発射レバー２８を回動操作することにより、上皿２０に貯留された遊技球が球送り機構（図示せず）を介して発射装置（図示せず）に送られた後、遊技盤１６に形成された遊技領域３２に向けて発射されるようになっている。
【００２７】
続いて、遊技盤１６の構造について、図２に基づいて説明する。遊技盤１６は、表面に合成樹脂製のシートが被着された遊技板２９を備えており、かかる遊技板２９の表面側に固定されたガイドレール３０によって囲まれた略円形の遊技領域３２には、液晶表示器３４や始動入賞装置３６，特別可変入賞装置３８等の各種構造物が固定的に設けられている。
【００２８】
そして、遊技領域３２に向けて発射された後、遊技領域３２を流下せしめられている遊技球が始動入賞装置３６に入賞すると、液晶表示器３４の表示画面において複数の特別図柄（図示せず）の変動表示が開始され、それら複数の特別図柄の変動表示が所定時間行われる。その後、複数の特別図柄が特定の停止表示態様で停止表示されると、大当たり遊技状態が発生し、通常の遊技状態では特別可変入賞装置３８の入口を塞いでいる扉３９が予め定められた作動条件に従って開閉作動せしめられるようになっている。これにより、特別可変入賞装置の入口が開放されて、特別可変入賞装置への遊技球の入賞が可能となり、その結果、遊技者は通常の遊技状態では得ることができない利益（賞球）を得ることが可能となる。このことから明らかなように、本実施形態では、パチンコ機１０は、所謂第１種パチンコ機とされている。
【００２９】
また、液晶表示器３４の表示画面の周囲には、液晶表示器３４の周囲を装飾するためのセンター飾り４２が配設されている。このセンター飾り４２は、図３及び４にも示されているように、全体として、貫通孔４４を有する本体枠４６の一方の開口端に対して外方に広がる取付板４８が一体的に設けられた構造とされており、センター飾り４２は、遊技板２９に形成された取付孔（図示せず）に本体枠４６が挿通された状態で取付板４８によって遊技板２９の表面側から取り付けられるようになっている。そこにおいて、本実施形態では、貫通孔４４における他方の開口端の断面の大きさおよび形状が液晶表示器３４の表示画面の大きさおよび形状と対応しており、それによって、遊技盤１６（遊技板２９）の裏側に配設された液晶表示器３４の表示画面が貫通孔４４を通じて視認可能とされている。
【００３０】
また、本体枠４６における取付板４８が形成されたほうの開口端には、貫通孔４４よりも上方に位置せしめられる部分において、本体枠４６における取付板４８が形成されたほうの開口端面から突出せしめられた庇５０が形成されており、かかる庇５０は、貫通孔４４の上方から左右両側にまで延び出している。そこにおいて、庇５０内および本体枠４６内には、ワープ通路５２，５４が形成されており、庇５０における貫通孔４４の上方に位置せしめられる部分の外側に形成されたワープ入口５６，５８から入った遊技球は、ワープ通路５２，５４を通って、本体枠４６の下端に形成されたワープ出口６０，６２から、本体枠４６における一方の開口端の下端内周部分に形成されたステージ６４に案内されて、ステージ６４上を転動するようになっている。また、ステージ６４の後方（本体枠４６の他方の開口端側）には、駆動モータ６５によって駆動せしめられる回転ステージ６６が、本体枠４６に形成された誘導路６８を挟んで左右両側において、それぞれ、手前側と奥側に配設されている。
【００３１】
そして、ステージ６４を転動する遊技球は、ステージ６４上に形成された傾斜面７０を通って、或いは、回転ステージ６０の外周面に固定された磁石（図示せず）によって吸引されて、奥側の回転ステージ６６まで案内され、二つの奥側ステージ６６，６６の間に形成された誘導路入口７２から入って、誘導路６８を通り、再び、遊技領域３２上を流下せしめられるようになっている。
【００３２】
特に、本実施形態では、遊技領域３２において、誘導路６８の出口（本体枠の前面側に形成された開口）の真下に始動入賞装置３６が配設されており、それによって、かかる誘導路６８を通って再び遊技領域３２上を流下せしめられる遊技球というのは、始動入賞装置３６に入賞しやすくなっている。
【００３３】
また、庇５０における貫通孔４４の上方に位置せしめられる部分には、ワープ通路５２，５４が形成されていない部分を刳り貫くようにして、表側（ガラス枠１８側）に開口する凹室７４が形成されており、特に、本実施形態では、かかる凹室７４は、本体枠４６までも刳り貫くように形成されている。そして、凹室７４内には、被照射対象としてのキャラクタ人形７６と、複数（本実施形態では２つ）の指向性電飾装置としてのスポットライト７８ａ，ｂが配設されている。
【００３４】
キャラクタ人形７６は、雪だるまを模した人形であって、その顔の部分が目立つようになっており、それによって、遊技者の視線がキャラクタ人形７６の顔に向きやすくなっている。
【００３５】
スポットライト７８ａ，ｂは、それぞれ、図５乃至８に示されているように、ハウジング８０に対して集光レンズ８２，リフレクタ８４および発光源としてのスポットライト用ＬＥＤ８６を備えた基板８８が組み付けられた構造とされている。なお、これらのスポットライト７８ａ，ｂは、互いに同じ形状および構造とされていることから、その一方のみについて説明し、他方については、その説明を省略する。また、以下の説明において、左右とは、パチンコ機１０で遊技をしている遊技者自身の左右をいう。従って、キャラクタ人形７６から遊技者に向かった状態での左右と、遊技者自身の左右とは、反対になる。
【００３６】
より詳細には、ハウジング８０は、全体として略一定の円形断面で軸方向にストレートに延びる管状部分としての筒壁部９０を備えた有底円筒形状とされており、本実施形態では、かかるハウジング８０の底壁部９２は、軸方向外方に凸となるように湾曲せしめられている。また、ハウジング８０の底壁部９２には、軸方向外方に略一定の矩形断面で突出しながら開口する取出口９４が、筒状部９０の中心軸上ではなく、筒状部９０の中心軸よりも径方向外方に偏倚した位置において、一体形成されており、かかる取出口９４を通じてハウジング８０が底壁部９２側にも開口せしめられている。特に、本実施形態では、取出口９４の開口部分の左右方向の寸法は、筒壁部９０の外径寸法の略半分程度の大きさとされていると共に、取出口９４の開口部分の上下方向の寸法は、筒壁部９０の内径寸法の略半分程度の大きさとされている。
【００３７】
また、ハウジング８０には、底壁部９２側において、筒状の外方突部９６が突設されており、特に、本実施形態では、かかる外方突部９６は、取出口９４の直ぐ近くに位置せしめられており、筒状部９０の軸方向での投影において、外方突部９６の突出方向と取出口９４の開口部分の左右方向とが直交するようになっている。
【００３８】
さらに、ハウジング８０の筒壁部９０には、その内周面に開口して、略一定の矩形断面でもって全周に亘って延びる内周溝９８ａ，ｂが二つ形成されており、それら二つの内周溝９８ａ，ｂのうちハウジング８０の開口端側（底壁部９２とは反対側）に形成された内周溝９８ａは、底壁部９２側に形成された内周溝９８ｂよりも溝幅寸法（筒壁部９０の軸方向に相当する方向での寸法）が大きくされている。また、これら二つの内周溝９８ａ，ｂには、それぞれ、各内周溝９８の開口側に突出して各内周溝９８を溝幅方向に横断する位置決め突起１００（内周溝９８ｂに形成されたほうのみ図示せず）が周方向の適数箇所（本実施形態では、２箇所）に形成されている。
【００３９】
一方、集光レンズ８２は、無色透明な合成樹脂材によって形成されており、全体として円板形状を呈している。また、リフレクタ８４は、凹状湾曲面を備えた構造とされており、かかる凹状湾曲面が形成されている部分には、窓１０２が形成されている。更にまた、スポットライト用ＬＥＤ８６は、図面上では明示されていないが、ケースを備えており、かかるケース内に赤色発光素子，緑色発光素子および青色発光素子の三つの発光素子が設けられたものである。そこにおいて、本実施形態では、それら三つの発光素子は、透明の樹脂によってケース内にモールドされて１チップ化されている。また、各発光素子から発せられた光は、樹脂内を拡散し、相互に混じりあうようになっており、その結果、発光させる発光素子を適当に選択することにより、赤，緑および青以外の色を発することが可能となっている。
【００４０】
そして、集光レンズ８２とリフレクタ８４が、軸方向に重ね合わせられた状態で、一方の内周溝９８ａの両側壁に嵌め込まれるようにして、ハウジング８０内に固定的に組み付けられている。そこにおいて、集光レンズ８２およびリフレクタ８４には、それぞれ、その外周縁部に切欠１０４，１０６が形成されており、かかる切欠１０４，１０６が一方の内周溝９８ａに形成された位置決め突起１００ａに嵌め合わされて、それら集光レンズ８２およびリフレクタ８４のハウジング８０に対する相対的な周方向位置が規定されるようになっている。
【００４１】
また、基板８８は、その外周縁部が、ハウジング８０に形成された他方の内周溝９８ｂの両側壁の間に嵌め込まれるようにして、ハウジング８０内に固定的に組み付けられている。そこにおいて、基板８８の外周縁部には、切欠１０８が形成されており、かかる切欠１０８が他方の内周溝９８ｂに形成された位置決め突起に嵌め込まれて、基板８８のハウジング８０に対する相対的な周方向位置が規定されるようになっている。
【００４２】
なお、集光レンズ８２，リフレクタ８４および基板８８のハウジング８０への組み付けは、例えば、ハウジング８０を、軸直角方向で真っ二つにして二つの分割体１１０，１１０によって構成するようにし、それら二つの分割体１１０，１１０にそれぞれ形成された一方の内周溝９８ａの一部に対して、集光レンズ８２とリフレクタ８４を軸方向で重ね合わせて組み付けると共に、他方の内周溝９８ｂの一部に対して基板８８を組み付け、その後、二つの分割体１１０，１１０を分割面で相互に重ね合わせて、接着やビス止め，嵌め込み係止等によって固定することで、有利に実現することが可能となる。その際、一方の内周溝９８ａに形成された位置決め突起１００ａに対して集光レンズ８２に形成された切欠１０４およびリフレクタ８４に形成された切欠１０６を嵌め合わせるようになっていると共に、他方の内周溝９８ｂに形成された位置決め突起に対して基板８８に形成された切欠１０８を嵌め合わせるようになっている。なお、本実施形態では、ハウジング８０を軸直角方向で真っ二つにした際に、外方突部９６も軸直角方向で真っ二つになっている。
【００４３】
また、他方の内周溝９８ｂに嵌め込まれるようにして、ハウジング８０内に固定的に組み付けられた基板８８に実装されているスポットライト用ＬＥＤ８６は、リフレクタ８４に形成された窓１０２を通じて集光レンズ８２に対向位置せしめられている。そして、スポットライト用ＬＥＤ８６が発する光がリフレクタ８４によって反射されて集光レンズ８２からハウジング８０（筒壁部９０）の軸方向に沿って進むようになっている。即ち、本実施形態では、スポットライト用ＬＥＤ８６（発光源）が発する光が、スポットライト７８（指向性電飾装置）が備えている筒壁部９０（管状部分）を通って、該筒壁部９０（管状部分）の軸方向に進むようになっているのである。更に、基板８８において、スポットライト用ＬＥＤ８６が実装されたほうと反対側の面に実装された給電用端子としてのコネクタ１１２は、外方突部９６の略中心線上に位置せしめられていると共に、取出口９４を通じて外部に露出せしめられている。
【００４４】
更にまた、外方突部９６には、駆動軸１１４が嵌め込まれた状態で組み付けられるようになっている。そして、外方突部９６に駆動軸１１４が嵌め込まれた状態で、外方突部９６の内周面に形成された突起１１６が駆動軸１１４の外周面に形成された凹所１１８内に収容位置せしめられるようになっており、それによって、外方突部９６と駆動軸１１４の周方向での相対位置が規定されている。その結果、ハウジング８０は、駆動軸１１４と一体的に、駆動軸１１４回りに回転可能とされている。そして、このようにハウジング８０が駆動軸１１４と一体的に回動可能とされた状態下において、コネクタ１１２は、駆動軸１１４の略中心線上に位置せしめられている。また、駆動軸１１４における外方突部９６に嵌め込まれたほうと反対側の端部には、軸直角方向外方に突出する板状突部１２０が設けられており、かかる板状突部１２０の突出端側の上面には、係止突起１２２が形成されている。
【００４５】
なお、外方突部９６への駆動軸の組み付けは、例えば、上述の如く、ハウジング８０を二つの分割体１１０，１１０によって構成した場合に、それら二つの分割体１１０，１１０を組み付ける際において、駆動軸１１４に形成された凹所１１８と外方突部９６の一部を構成する部分に形成された突起１１６を位置合わせした後、二つの分割体１１０，１１０を固定することによって、有利に実現することが可能となる。
【００４６】
このような構造とされたスポットライト７８ａ，ｂは、それぞれ、駆動手段としての駆動モータ１２４によって駆動されるようになっており、特に、本実施形態では、図９および図１０に示されているように、駆動モータ１２４の駆動力が駆動力伝達部材としての駆動力伝達板１２６を介して各スポットライト７８に伝達されることで、各スポットライト７８が駆動軸１１４回りに往復回動せしめられるようになっている。
【００４７】
より詳細には、駆動力伝達板１２６は、全体として矩形の平板形状とされており、その長手方向中央部分において、幅方向に所定長さに亘って延びるように形成された挿通孔１２８を備えていると共に、幅方向一方の長手方向両端において、それぞれ、長手方向に延びるように形成された係止孔１２９，１２９を備えている。
【００４８】
このような構造とされた駆動力伝達板１２６は、その下面に突設されたスライド突部１３０が凹室７４の底壁１３２に形成された一対のレール１３４，１３４の間に嵌め入れられるようにして、凹室７４の底壁１３２に重ね合わせ状態で組み付けられており、このように凹室７４の底壁１３２に組み付けられた駆動力伝達板１２６は、スライド突部１３０が一対のレール１３４，１３４の延び出し方向に沿って移動することで、凹室７４の底壁１３２に対して往復移動が可能とされている。そこにおいて、本実施形態では、一対のレール１３４，１３４は、凹室７４の幅方向中央部分において開口側に向かって延びるように形成されている。また、凹室７４の底壁１３２には、一対のレール１３４，１３４における凹室７４の開口端側において、ストッパ板１３６が突設されており、かかるストッパ板１３６に駆動力伝達板１２６の凹室７４の開口端側への移動が制限されるようになっている。なお、図面上では明示されていないが、凹室７４の奥壁１３８の下端部分には、駆動力伝達板１２６の往復移動を許容するための穴が形成されている。
【００４９】
そして、このように駆動力伝達板１２６が凹室７４の底壁１３２に組み付けられた状態下において、駆動力伝達板１２６に形成された挿通孔１２８内には、駆動モータ１２４の出力軸１４０に設けられた出力ピニオン１４２が位置せしめられており、このように出力ピニオン１４２が挿通孔１２８内に位置せしめられた状態下において、出力ピニオン１４２は、挿通孔１２８の内周面に形成された係止歯１４４に係合せしめられている。また、駆動力伝達板１２６に形成された各係止孔１２９内には、各スポットライト７８に設けられた係止突起１２２が位置せしめられている。その際、板状突部１２０，１２０は、それぞれ、駆動力伝達板１２６の下面側に位置せしめられている。
【００５０】
さらに、凹室７４の底壁１３２には、幅方向中央部分、即ち、ストッパ板が設けられた位置において、中央底カバー１４６が組み付けられており、かかる中央底カバー１４６の上面には、キャラクタ人形７６が載置されている。また、各スポットライト７８は、中央底カバー１４６の側方において凹室７４の底壁１３２に組み付けられる側方底カバー１４８に形成された貫通孔（図示せず）に駆動軸１１４が挿通された状態で、側方底カバー１４８に対して回動可能に組み付けられている。これにより、キャラクタ人形７６の左右両側にスポットライト７８が一つずつ位置せしめられていることとなる。
【００５１】
そして、駆動力伝達板１２６が初期位置（駆動力伝達板１２６が往復移動する際の始端および終端位置）に位置せしめられた状態下において、キャラクタ人形７６は、図１１に示されているように、右側のスポットライト７８ｂが発する光、即ち、リフレクタ８４や集光レンズ８２によって集光された光束７９ｂ内に入っているが、左側のスポットライト７８ａが発する光、即ち、リフレクタ８４や集光レンズ８２によって集光された光束７９ａ内に入っていない。そこにおいて、本実施形態では、キャラクタ人形７６が光束７９内に入っている状態をキャラクタ人形７６がスポットライト７８の発する光によって照射されている状態（積極的に照らされている状態）といい、キャラクタ人形７６が光束７９内に入っていない状態をキャラクタ人形７６がスポットライト７８の発する光によって照射されていない状態（消極的に照らされている状態）という。即ち、本実施形態では、二つのスポットライト７８ａ，ｂがそれぞれ初期位置に位置せしめられた状態下において、右側のスポットライト７８ｂのみがキャラクタ人形７６を照射している（積極的に照らしている）状態にあり、左側のスポットライト７８ａは、キャラクタ人形７６を照射していない（消極的に照らしている）状態にある。これにより、二つのスポットライト７８ａ，ｂがそれぞれ初期位置に位置せしめられた状態下において、キャラクタ人形７６は、左側のスポットライト７８ａが発する光よりも右側のスポットライト７８ｂが発する光の影響を受けやすくなっており、その結果、キャラクタ人形７６は、左側のスポットライト７８ａの発する光よりも右側のスポットライト７８ｂの発する光に染まりやすくなっている。即ち、本実施形態では、キャラクタ人形７６は、左側よりも右側（キャラクタ人形７６自身でいうと右側よりも左側）のほうがスポットライト７８の発する光に染まりやすいのである。
【００５２】
因みに、本実施形態では、各スポットライト７８の発する光（各スポットライト７８の光束７９）というのは、レーザービームのように直線的に延びるものではなく、スポットライト７８から離隔するに従って徐々広がるものである。また、各スポットライト７８が発する光（各スポットライト７８の光束７９）の広がり具合は、互いに同じとされている。
【００５３】
また、本実施形態では、右側のスポットライト７８ｂがキャラクタ人形７６の顔を狙っており、それによって、特に右側のスポットライト７８ｂが発する光でキャラクタ人形７６の顔が染まり、恰もキャラクタ人形７６の顔色が変化したような印象を遊技者に与えるようになっている。
【００５４】
さらに、本実施形態では、キャラクタ人形７６を左右で異なる色に照らしたり、或いは、キャラクタ人形７６の左右一方だけを照らし、キャラクタ人形７６を浮き上がらせることもできるようになっている。
【００５５】
また、中央底カバー１４６および側方底カバー１４８，１４８が凹室７４の底壁１３２に組み付けられることにより、ストッパ板１３６，一対のレール１３４，１３４，駆動力伝達板１２６，板状突部１２０，１２０および凹室７４の奥壁１３８の下端に形成された穴が何れも外部から視認不能とされている。なお、このことから明らかなように本実施形態では、凹室７４が全体として上げ底とされており、凹室７４の外見上の底壁（中央底カバー１４６および側方底カバー１４８，１４８）と本来の底壁１３２の間に、スポットライト７８ａ，ｂを往復回動（首振り回動）するための駆動機構（駆動力伝達板１２６）が収容配置されているのである。
【００５６】
さらに、各スポットライト７８のコネクタ１１２には、図８に示されているように、スポットライト用ＬＥＤ８６への電源を供給するための電源供給線としてのハーネス１５０が接続されており、特に、本実施形態では、かかるハーネス１５０は、所謂シリコンハーネスによって構成されている。なお、ハーネス１５０は、凹室７４の奥壁１３８に形成された挿通孔（図示せず）を通って、凹室７４の奥壁１３８の裏側から凹室７４内に延び出している。
【００５７】
また、駆動力伝達板１２６の長手方向一方の側において、幅方向一方の端部から幅方向中央に亘って延びるように形成された平板状の検出部１５２は、凹室７４の奥壁１３８の裏側に配設された位置検出スイッチ１５４によって検出可能とされている。この位置検出スイッチ１５４は、従来から公知の光電スイッチによって構成されており、位置検出スイッチ１５４が発する検出用光を検出部１５２が遮る又は遮らないことで位置検出スイッチ１５４が検出部１５２の位置、延いては、駆動力伝達板１２６の位置（移動状態）を検出するようになっている。そして、本実施形態では、駆動力伝達板１２６が初期位置に位置せしめられた状態下において、検出部１５２は、位置検出スイッチ１５４の発する光を遮らない、即ち、位置検出スイッチ１５４によって検出されない位置にある。また、駆動モータ１２４は、凹室７４の奥壁１３８の裏側に配設されており、図示しない取付部材によって凹室７４の奥壁１３８の裏側に取り付けられている。更に、位置検出スイッチは、凹室７４の奥壁１３８の裏側において、底壁１３２に載置された状態で固定されるようになっている。
【００５８】
そして、駆動モータ１２４に電源が供給されて駆動モータ１２４の出力軸１４０が周方向一方向の側に回転駆動せしめられることによって、出力軸１４０に固設された出力ピニオン１４２が挿通孔１２８の内周面に形成された係止歯１４４に係合しながら、挿通孔１２８内を幅方向一方の側（始端および終端側）から他方の側（折り返し端側）に向かって移動する。その際、各係止突起１２２は、各係止孔１２９内を、その内周面に沿って、長手方向外側から内側に向かって移動するようになっており、それによって、係止突起１２２が形成された板状突部１２０が駆動軸１１４回りに回動せしめられることとなる。その結果、駆動軸１１４に対して一体的に回動可能とされたスポットライト７８が、駆動軸１１４を中心にして、図９中の矢印の方向に駆動せしめられることとなる。具体的には、各スポットライトは、初期位置（図１１参照）から、図１２に示されているようなパチンコ機１０で遊技をする遊技者１５６を正面から照らす位置、即ち、遊技者１５６に対して正面から向かい合う位置を経由して、更に外側に向かって回動せしめられる。そこにおいて、本実施形態では、二つのスポットライト７８ａ，ｂの回動は、左右対称とされている。
【００５９】
また、このように駆動力伝達板１２６が始端側から折り返し端側に向かって移動することによって、駆動力伝達板１２６に形成された検出部１５２は、位置検出スイッチ１５４の発する検出用光を遮るようになる。そして、後述するサブ統合制御回路において、検出部１５２が位置検出スイッチ１５４の発する検出用光を遮るようになってからの時間を計測し、計測開始から所定時間経過した後、駆動モータ１２４への電源の供給を中止して、駆動モータ１２４の出力軸１４０の周方向一方向への回転駆動を停止するようになっている。このように駆動モータ１２４が停止した状態、即ち、駆動力伝達板１２６が折り返し端まで駆動せしめられた状態において、各スポットライト７８は、図１３に示されているように、遊技者１５６を照らす位置（図１２参照）よりも更に外側を向いている。特に、本実施形態では、ホールの台島１５８においてパチンコ機１０の隣に設置されたパチンコ機１６０ａ，ｂで遊技をしている遊技者１６２ａ，ｂがスポットライト７８ａ，ｂの光束７９ａ，ｂに入るようになっており、このように隣の遊技者１６２がスポットライト７８の光束７９に入った状態を、本実施形態では、隣の遊技者１６２がスポットライト７８で照らされている状態にあるという。即ち、本実施形態では、各スポットライト７８が折り返し端に位置せしめられた状態下において、各スポットライトは隣の遊技者１６２ａ，ｂを照らすようになっているのである。これにより、隣の遊技者１６２は、パチンコ機１６０で遊技をしている状態であっても、スポットライト７８の発する光によって照らされていることを認識できるようになっている。そこにおいて、各スポットライト７８の初期位置（図１１に示された位置）から折り返し端位置（図１３に示された位置）までの回動角度は、３６０度（一周）以下であれば、特に限定されるものではないが、１８０度以下に設定されることが望ましい。これにより、ハーネス１５０の耐久性を有利に確保することが可能となる。
【００６０】
このように駆動力伝達板１２６が折り返し端において停止せしめられると、直ちに或いは所定時間経過した後、駆動モータ１２４の出力軸１４０が先程（始端側から折り返し端側への駆動の場合）とは反対方向（周方向他方の側）に回転せしめられるように、駆動モータ１２４への電源の供給が再開される。これにより、駆動モータ１２４の出力軸１４０が先程とは反対方向に回転せしめられ、駆動力伝達板１２６が折り返し端位置から初期位置に向かって移動する。その際、係止突起１２２が係止孔１２９内を長手方向内側から外側に向かって移動することとなり、それによって、各スポットライト７８が、図１０において矢印で示されている方向に、即ち、台島１５８においてパチンコ機１０の隣に設置されたパチンコ機１６０で遊技をしている遊技者１６２を照らす位置（図１３に示された位置）から遊技者１５６を照らす位置（図１２に示された位置）を経由して初期位置（図１１に示された位置）に向かって回動せしめられる。このような駆動力伝達板１２６の駆動は、検出部１５２が位置検出スイッチ１５４の発する検出用光を遮らないようになるまで継続されるようになっている。そして、検出部１５２が位置検出スイッチ１５４の発する検出用光を遮らないようになると、駆動モータ１２４への電源の供給が中止され、それによって、駆動力伝達板１２６の駆動、延いては、スポットライト７８ａ，ｂの回動が終了することとなる。このようにスポットライト７８ａ，ｂの回動が終了すると、スポットライト７８ａ，ｂは、それぞれ、初期位置（図１１に示された位置）で再び停止することとなる。
【００６１】
続いて、このような構造とされたパチンコ機１０の制御回路１６４について、図１４に基づいて説明する。図１４は、パチンコ機１０の遊技動作等を制御する制御回路１６４の一例を示すブロック図である。主制御回路１６６は、遊技動作の全体を制御するものであって、ＣＰＵ，ＲＯＭ，ＲＡＭ，入力ポートおよび出力ポート等を含んで構成されている。また、主制御回路１６６には、始動入賞装置３６内に設けられて始動入賞装置３６に入賞した遊技球を検出する始動入賞スイッチ１６８，特別可変入賞装置３８内に設けられて特別可変入賞装置３８に入賞した遊技球を検出する特別可変入賞スイッチ１７０，特別可変入賞装置３８内に形成された図示しない特定領域を特別可変入賞装置３８に入賞した遊技球が通過することを検出する特定領域通過スイッチ１７２，特別可変入賞装置３８の入口を塞いでいる扉３９を開閉駆動するための扉ソレノイド１７４，サブ統合制御回路１７６等が接続されている。始動入賞スイッチ１６８，特別可変入賞スイッチ１７０，特定領域通過スイッチ１７２は、それぞれ、従来から公知の近接スイッチによって構成されている。また、サブ統合制御回路１７６には、表示制御回路１７８，駆動モータ１２４，スポットライト用ＬＥＤ８６および位置検出スイッチ１５４等が接続されている。そこにおいて、サブ統合制御回路１７６は、主制御回路１６６から送信されてきた制御信号に基づく遊技動作の実行、或いは、主制御回路１６６から送信されてきた制御信号を更に別の制御回路（例えば、図１２中では、表示制御回路１７８）へ送信すること等を行うものであって、ＣＰＵ，ＲＯＭ，ＲＡＭ，入力ポートおよび出力ポート等を含んで構成されている。また、表示制御回路１７８は、サブ統合制御回路１７６を経由してきた主制御回路１６６からの制御信号に基づいて液晶表示器３４において複数の特別図柄４０ａ〜ｃの変動及び停止表示を行うものであって、ＣＰＵ，ＲＯＭ，ＲＡＭ，入力ポートおよび出力ポート等を含んで構成されている。
【００６２】
なお、これらの主制御回路１６６，表示制御回路１７８，サブ統合制御回路１７６は、それぞれ、同じ基板、或いは、別々の基板上に形成されており、このように各制御回路１６６，１７６，１７８が形成された基板が基板収容ケース（図示しない）に収容されて、かかる基板収容ケースがパチンコ機１０の裏側の適当な位置に組み付けられるようになっている。
【００６３】
そして、本実施形態では、主制御回路１６６が表示制御回路１７８に対して特定の変動表示態様で複数の特別図柄４０ａ〜ｃを変動表示させる制御信号（本実施形態では、複数の特別図柄４０ａ〜ｃを特定の停止表示態様で停止表示させる場合の制御信号）をサブ統合制御回路１７６に送信し、かかる制御信号をサブ統合制御回路１７６が受信した場合に、サブ統合制御回路１７６は、受信した制御信号を表示制御回路１７８に送信すると共に、受信した制御信号に基づいて駆動モータ１２６の駆動およびスポットライト用ＬＥＤ８６の発光を制御するようになっている。このように駆動モータ１２６の駆動およびスポットライト用ＬＥＤ８６の発光を制御する演出制御処理について、図１５に示されたフローチャートに基づいて説明する。なお、主制御回路１６６がサブ統合制御回路１７６に送信する制御信号は、始動入賞スイッチ１６８が遊技球を検出することに基づいて行われる各種抽選の結果に応じて選択および決定されるものであり、また、そのような制御処理は、従来から公知であることから、それらの詳細な説明は省略する。
【００６４】
先ず、サブ統合制御回路１７６は、ステップ（以下、Ｓとする）１において、特定の制御信号を受信したか否かを判定し、特定の制御信号を受信していない場合（Ｓ１：ＮＯ）には、演出制御処理を終了する一方、特定の制御信号を受信している場合（Ｓ１：ＹＥＳ）には、Ｓ２において、スポットライト用ＬＥＤ８６に電源を供給してスポットライト用ＬＥＤ８６を発光させる。その際、スポットライト用ＬＥＤ８６が発する光の色は、主制御回路１６６から送信されてきた特定の制御信号に含まれていても良いし、或いは、サブ統合制御回路１７６のほうで、例えば、特定の制御信号を受信したタイミング等で抽選を行い、かかる抽選の結果に基づいて選択決定するようにしても良い。また、スポットライト用ＬＥＤ８６の発光態様、即ち、スポットライト用ＬＥＤ８６を発光させつづける、或いは、スポットライト用ＬＥＤ８６を適当な間隔で発光している状態と発光していない状態とに切り換えることに関する情報も、主制御回路１６６から送信されてきた特定の制御信号に含まれていても良いし、或いは、サブ統合制御回路１７６のほうで、例えば、特定の制御信号を受信したタイミング等で抽選を行い、かかる抽選の結果に基づいて選択決定するようにしても良い。更にまた、スポットライト用ＬＥＤ８６の発する光およびスポットライト用ＬＥＤ８６の発光態様は、各スポットライト用ＬＥＤ８６で互いに同じであっても良いし、異なっていても良い。そして、スポットライト用ＬＥＤ８６の発する光および発光態様に応じて、複数の特別図柄の変動表示態様における大当たり遊技状態発生への期待度を調節することが可能となる。
【００６５】
続いて、サブ統合制御回路１７６は、Ｓ３において、駆動モータ１２４に電源を供給して駆動モータ１２４の出力軸１４０を周方向一方向の側に回転駆動させた後、Ｓ４において、位置検出スイッチ１５４が駆動力伝達板１２６の検出部１５２を検出したか否かを判定し、検出していない場合（Ｓ４：ＮＯ）には、検出するまで待ち、検出した場合（Ｓ４：ＹＥＳ）には、Ｓ５において、位置検出スイッチ１５４が検出部１５２を検出してからの経過時間の計測を開始する。なお、経過時間の計測は、例えば、所定周期毎に発生する割り込み信号が入力される度にカウントアップするカウンタ等を用いることによって、有利に実現することが可能となる。
【００６６】
次に、サブ統合制御回路１７６は、Ｓ６において、位置検出スイッチ１５４が検出部１５２を検出してからの経過時間が所定時間に達したか否かを判定し、所定時間に達していない場合（Ｓ６：ＮＯ）には、所定時間に達するまで待ち、所定時間に達した場合（Ｓ６：ＹＥＳ）には、Ｓ７において、駆動モータ１２４への電源の供給を停止して、駆動モータ１２４の出力軸１４０の周方向一方への回転駆動を停止させる。そこにおいて、位置検出スイッチ１５４が検出部１５２を検出してから駆動モータ１２４への電源の供給を停止するまでの時間（叙述の所定時間）は、主制御回路１６６から送信されてきた特定の制御信号に含まれていても良いし、或いは、サブ統合制御回路１７６のほうで、例えば、特定の制御信号を受信したタイミング等で抽選を行い、かかる抽選の結果に基づいて選択決定するようにしても良い。そして、位置検出スイッチ１５４が検出部１５２を検出してから駆動モータ１２４への電源の供給を停止するまでの時間を適当に調節することによって、スポットライト７８の回動角度が変更可能となる。これにより、複数の特別図柄の変動表示態様における大当たり遊技状態発生への期待度を調節することが可能となる。
【００６７】
続いて、サブ統合制御回路１７６は、Ｓ８において、駆動モータ１２４の出力軸１４０を先程までとは逆方向に回転させるように、駆動モータ１２４への電源の供給を開始する。なお、本実施形態では、駆動モータ１２４への電源の再供給は、駆動モータ１２４の電源の供給が一旦停止された後、直ちに行われるようになっているが、適当な間隔をおいてから行うようにしても良い。このように適当な間隔を置く場合、その間隔、即ち、スポットライト７８の回動が停止された時間というのは、主制御回路１６６から送信されてきた特定の制御信号に含まれていても良いし、或いは、サブ統合制御回路１７６のほうで、例えば、特定の制御信号を受信したタイミング等で抽選を行い、かかる抽選の結果に基づいて選択決定するようにしても良い。そして、スポットライト７８の回動が停止された時間を適当に調節することによって、複数の特別図柄の変動表示態様における大当たり遊技状態発生に対する期待度を調節することが可能となる。
【００６８】
次に、サブ統合制御回路１７６は、Ｓ９において、位置検出スイッチ１５４が検出部１５２を検出しているか否かを判定し、検出している場合（Ｓ９：ＹＥＳ）には、検出しなくなるまで待ち、検出していない場合（Ｓ９：ＮＯ）には、Ｓ１０において、駆動モータ１２４への電源の供給を中止して駆動モータ１２４の出力軸１４０の周方向他方への回転駆動を停止する。その後、サブ統合制御回路１７６は、Ｓ１１において、スポットライト用ＬＥＤ８６への電源の供給を中止してスポットライト用ＬＥＤ８６の発光を中止し、演出制御処理を終了する。
【００６９】
このような構造とされたパチンコ機１０においては、遊技者が操作レバー２８を回動操作することにより、遊技球が遊技領域３２に向けて発射される。そして、遊技領域３２に発射されてきた遊技球は、遊技領域３２に打ち込まれた遊技釘３５に衝突しながら、遊技領域３２を流下せしめられるようになっている。
【００７０】
このように遊技領域３２を流下せしめられる遊技球が始動入賞装置３６に入賞すると、液晶表示器３４において複数の特別図柄の変動表示が開始される。そして、かかる複数の特別図柄の変動表示が特定の変動表示態様に基づいて行われる場合には、スポットライト７８ａ，ｂが所定の発光色および発光態様でもって往復回動せしめられるようになっている。このことから明らかなように、本実施形態では、複数の特別図柄の変動表示が特定の変動表示態様に基づいて行われる場合が、特定遊技状況とされている。
【００７１】
そこにおいて、本実施形態のパチンコ機１０においては、スポットライト７８ａ，ｂが初期位置に位置せしめられた状態で、キャラクタ人形７６の顔が、スポットライト７８ｂの発する光によって積極的に照らされていると共に、スポットライト７８ａの発する光によって消極的に照らされるようになっている。そして、遊技者は、これらのスポットライト７８ａ，ｂの発する光によって照らされて、恰も顔色が変化したようにみえるキャラクタ人形７６の顔から、キャラクタ人形７６の状態を各自の想像力に基づいて連想することとなる。それ故、本実施形態では、遊技者の想像力を利用して遊技を盛り上げ、遊技者を楽しませることが可能となる。
【００７２】
すなわち、キャラクタ人形７６の顔色から連想するキャラクタ人形７６の状態というのは、遊技者毎に異なると考えられ、また、喩え、同じ状態を連想したとしても、その程度や度合いというのは、遊技者毎に異なるものと考えられる。そうすると、映像等によって具体的な状態を提示して、かかる具体的な状態を半ば強制的に遊技者に受け入れさせるよりも、遊技者自身が各自の自由な発想に基づいて具体的な状態を連想するほうが、遊技者にとっても具体的な状態を受け入れやすくなる。そして、このように遊技者に具体的な状態を連想させることにより、遊技者を積極的に遊技（特に、演出）に関わらせることが可能となるのであり、それによって、本実施形態では、遊技をする遊技者毎に異なる楽しみ、即ち、遊技者独自の楽しみも与えることが可能となる。
【００７３】
また、遊技者が連想する具体的な状態というのは、遊技者の体調や気分等によっても変化すると考えられるから、遊技者が日を改めて遊技をした場合には、前回遊技をしたときとは異なるものを連想する可能性がある。それ故、本実施形態のパチンコ機１０は、長期間に亘って遊技者に新鮮な楽しみを与えることが可能となる。
【００７４】
更にまた、本実施形態では、スポットライト７８ａ，ｂが回動することによってパチンコ機１０で遊技をする遊技者が照らされるようになっていることから、遊技者はスポットライト７８ａ，ｂで照らされることにより、気持ちが高ぶる。それ故、本実施形態では、遊技者の気持ちを高めて、遊技を盛り上げることが可能となり、それによって、遊技者を一層楽しませることが可能となる。
【００７５】
特に、本実施形態では、スポットライト７８ａ，ｂが折り返し端まで回動せしめられた状態で、台島１５８においてパチンコ機１０の隣に設置されたパチンコ機１６０ａ，ｂで遊技をする遊技者１６２ａ，ｂがパチンコ機１０に配設されたスポットライト７８ａ，ｂによって照らされるようになっていることから、スポットライト７８で照らされた遊技者１６２ａ，ｂ（台島１５８においてパチンコ機１０の隣に設置されたパチンコ機１６０ａ，ｂで遊技をしている遊技者）に対して、今現在、複数の特別図柄が特定の変動表示態様に基づいて変動表示されていることを認識させることが可能となり、それによって、周囲の遊技者と一体となって遊技を楽しむことが可能となる。
【００７６】
また、本実施形態では、駆動軸１１４の略中心線上にコネクタ１１２が位置せしめられていることから、スポットライト７８ａ，ｂが回動せしめられた際に、かかるコネクタ１１２に接続されたハーネス１５０のスポットライト７８ａ，ｂの回動に伴う移動距離を短くすることが可能となり、それによって、スポットライト７８ａ，ｂの回動に伴ってハーネス１５０に及ぼされる外力を軽減乃至は回避することが可能となる。
【００７７】
さらに、本実施形態では、取出口９４の幅寸法（左右方向の寸法）が十分大きくされていることから、スポットライト７８ａ，ｂが回動せしめられた際に、ハーネス１５０に対して外力を及ぼし難くなっており、それによって、ハーネス１５０に外力が及ぼされることに起因する断線等の不具合を有利に回避して、スポットライト用ＬＥＤ８６への電源の供給を長期間に亘って安定、且つ、確実に行うことが可能となる。
【００７８】
更にまた、本実施形態では、ハーネス１５０がシリコンハーネスによって構成されていることから、スポットライト７８ａ，ｂの回動に際してハーネス１５０がスポットライト７８ａ，ｂの回動を妨げないようにすることが可能となる。即ち、通常のハーネスは、シリコンハーネスよりも硬く、ハーネスを曲げる際に要する力が大きくなってしまい、特に、スポットライト７８ａ，ｂが回動を一旦停止してから初期位置に戻ろうとする際に、ハーネスを曲げるのに要する力がスポットライト７８ａ，ｂが初期位置に戻る際の抵抗力として働き、最悪、スポットライト７８ａ，ｂが初期位置に戻らないといった不具合が発生するおそれがあるが、本実施形態のように、シリコンハーネスを用いることにより、このようなスポットライト７８ａ，ｂが初期位置に戻る際の抵抗力を軽減乃至は回避することが可能となり、それによって、スポットライト７８ａ，ｂの回動、特に、スポットライト７８ａ，ｂが、その回動を一旦停止して、初期位置に戻る際の動きを長期間に亘って安定して行うことが可能となる。そして、このようにハーネス１５０をシリコンハーネスで構成することにより、特に、ハーネス１５０を凹室７４内に導入するための貫通孔の大きさが小さくても、上述の如き抵抗力を軽減乃至は回避することが可能となる。
【００７９】
また、本実施形態では、スポットライト用ＬＥＤ８６が、赤，緑および青以外の色も発することが可能であるから、スポットライト用ＬＥＤ８６の発する光を変化させることで、特に、スポットライト７８ａ，ｂによって照らされることで変化せしめられるキャラクタ人形７６の顔色にバリエーションをもたせることが可能となり、それによって、遊技者をより一層楽しませることが可能となる。
【００８０】
以上、本発明の一実施形態について詳述してきたが、これはあくまでも例示であって、本発明は、かかる実施形態における具体的な記載によって、何等、限定的に解釈されるものではない。
【００８１】
例えば、前記実施形態では、右側のスポットライト７８ｂのみが初期位置においてキャラクタ人形７６を積極的に照らすようになっていたが、左側のスポットライト７８ａのみ、或いは、左右両側のスポットライト７８ａ，ｂの両方が、初期位置においてキャラクタ人形７６を積極的に照らすようになっていても良い。更に、スポットライト７８が回動せしめられている途中において、或いは、スポットライト７８が折り返し端に位置せしめられた際に、キャラクタ人形７６がスポットライト７８の発する光によって積極的に照らされるようにしても良い。
【００８２】
更にまた、前記実施形態では、左右両側のスポットライト７８ａ，ｂの首振り回動は、左右対称とされていたが、左右対称とされている必要はない。
【００８３】
さらに、前記実施形態では、指向性電飾装置がスポットライト７８によって構成されていたが、指向性電飾装置はスポットライトような管状部分（筒状部９０）を備えた構造のものに限定されない。
【００８４】
また、前記実施形態では、スポットライト７８が発光源としてのスポットライト用ＬＥＤ８６を備えており、かかるスポットライト用ＬＥＤ８６と一体的に回動せしめられるようになっていたが、例えば、発光源を凹室７４の奥壁１３２の裏側に配設し、かかる発光源の光を光ファイバによってスポットライト７８までもってくるようにしても良い。その際、光ファイバは、例えば、駆動軸１１４を中心孔を備えた円筒状にし、かかる中心孔を通してハウジング８０内にその発光端を持ってくるようにしても良い。
【００８５】
さらに、前記実施形態では、スポットライト７８の数は、二つであったが、一つであっても良いし、三つ以上であっても良い。
【００８６】
更にまた、二つのスポットライト７８ａ，ｂは、キャラクタ人形７６を左右から挟むように配設されている必要もない。
【００８７】
また、前記実施形態では、キャラクタ人形７６によって被照射対象が構成されていたが、被照射対象は、キャラクタ人形７６に限定されるものではなく、例えば、パネル等であっても良い。
【００８８】
さらに、前記実施形態では、スポットライト７８は、センター飾り４２に形成された凹所７４内に配設されていたが、スポットライト７８の配設位置は、前記実施形態のものに限定されることはない。
【００８９】
更にまた、スポットライト７８の回動角度も前記実施形態のものに限定されるものではない。また、前記実施形態では、スポットライト７８は、パチンコ機１０を正面から見た際に、パチンコ機１０の左右方向に首を振るように回動せしめられていたが、パチンコ機１０の上下方向に首を振るように回動せしめられるようにしても良いし、或いは、円を描くように首振り回動せしめられるようにしても良い。
【００９０】
加えて、前記実施形態では、第１種パチンコ機について本発明の適用したものの一具体例が示されていたが、本発明は、第２種パチンコ機，第３種パチンコ機，スロットマシン等にも、勿論、適用可能である。
【００９１】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００９２】
【図１】本発明の一実施形態としてのパチンコ機を示す正面図である。
【図２】図１に示されたパチンコ機に採用されている遊技盤の正面図である。
【図３】図１に示されたパチンコ機に採用されているセンター飾りの正面図である。
【図４】図３に示されたセンター飾りの斜視図である。
【図５】図３に示されたセンター飾りに配設されているスポットライトの構造を説明するための図面であって、ハウジングを構成する二つの分割体のうち一方の分割体を取り外した状態を示すものである。
【図６】図６において集光レンズを取り外した状態を示す図面である。
【図７】スポットライトを後側から見た状態を示す図面である。
【図８】図７においてコネクタにハーネスが接続された状態を示す図面である。
【図９】二つのスポットライトの駆動状態を説明するための図面であって、二つのスポットライトが初期位置に位置せしめられた状態を示す図面である。
【図１０】二つのスポットライトの駆動状態を説明するための図面であって、二つのスポットライトが折り返し端に位置せしめられた状態を示す図面である。
【図１１】二つのスポットライトの首振り回動を説明するための図面であって、二つのスポットライトが初期位置に位置せしめられた状態を示す図面である。
【図１２】二つのスポットライトの首振り回動を説明するための図面であって、二つのスポットライトが遊技者を照らす位置に位置せしめられた状態を示す図面である。
【図１３】二つのスポットライトの首振り回動を説明するための図面であって、二つのスポットライトが遊技者を照らす位置よりもさらに外側を向いた位置にある状態を示す図面である。
【図１４】図１に示されたパチンコ機に採用されている制御回路の一具体例を示すブロック図である。
【図１５】サブ統合制御回路が実行する演出制御処理の一具体例を示すフローチャートである。
【符号の説明】
【００９３】
１０  パチンコ機
７６  キャラクタ人形
７８  スポットライト
１２４  駆動モータ
【図１】
2005237848.tif 000003
【図２】
2005237848.tif 000004
【図３】
2005237848.tif 000005
【図４】
2005237848.tif 000006
【図５】
2005237848.tif 000007
【図６】
2005237848.tif 000008
【図７】
2005237848.tif 000009
【図８】
2005237848.tif 000010
【図９】
2005237848.tif 000011
【図１０】
2005237848.tif 000012
【図１１】
2005237848.tif 000013
【図１２】
2005237848.tif 000014
【図１３】
2005237848.tif 000015
【図１４】
2005237848.tif 000016
【図１５】
2005237848.tif 000017